(57)【要約】【課題】  電池を備えたパソコンを中央制御機構で集中管理し、節電時間内の各パソコンの充電状態を監視して節電時間内に電池で稼働させ、かつ、パソコンを正常に作動させるパソコンへの給電システム及び装置を提供する。【解決手段】  パソコンへのＡＣ電源の各コンセント毎に供給する電源を制御する制御回路を組み込んだ給電制御タップと、制御回路を遠隔から制御する中央制御機構と、パソコンには電池の充電状態を監視する電源監視回路を設け、充電状態を中央制御機構に送信する充電状態送信回路を配備し、節電時間内には中央制御機構の指令により給電制御タップで各パソコン毎へのＡＣ電源を遮断してパソコンを電池で稼働させ、各パソコン毎に電池の充電状態が所定の値までに低下した場合にＡＣ電源を供給し、所定の値まで充電した後にＡＣ電源を遮断してパソコンを電池で稼働し、これを繰り返すパソコンへの給電システム及び装置。【選択図】図４
2014039416.tif 000002
【特許請求の範囲】
【請求項１】
内蔵或いは外付け電池を備えた複数のパソコンへのＡＣ電源の供給を制御するものであって、
該ＡＣ電源の各コンセント毎に供給する電源を制御する制御回路を組み込んだ給電制御タップと、
該制御回路を遠隔から制御する中央制御機構と、
前記パソコンには内蔵或いは外付け電池の充電状態を監視する電源監視回路を設けるとともに、その充電状態を中央制御機構に送信する充電状態送信回路を配備し、
節電時間内には、前記中央制御機構の指令により前記給電制御タップで各パソコン毎へのＡＣ電源を遮断して該パソコンを前記電池により稼働させ、各パソコン毎に電池の充電状態が所定の値までに低下した場合にＡＣ電源を供給して、所定の値まで充電した後にＡＣ電源を遮断して前記パソコンを前記電池で稼働し、この操作を節電時間内に繰り返すことを特徴とする電池を備えたパソコンへの給電システム。
【請求項２】
内蔵或いは外付け電池を備えた複数のパソコンへのＡＣ電源の供給を制御するものであって、
該ＡＣ電源の各コンセント毎に供給する電源を制御する制御回路を組み込んだ給電制御タップと、
該制御回路を遠隔から制御する中央制御機構と、
前記パソコンには内蔵或いは外付け電池の充電状態を監視する電源監視回路を設けるとともに、その充電状態を中央制御機構に送信する充電状態送信機構を配備し、
節電時間内には、前記中央制御機構の指令により前記給電制御タップで各パソコン毎へのＡＣ電源を遮断して該パソコンを前記電池により稼働させ、各パソコン毎に電池の充電状態が所定の値までに低下した場合にＡＣ電源を供給して、所定の値まで充電した後にＡＣ電源を遮断して前記パソコンを前記電池で稼働し、この操作を節電時間内に繰り返すことを特徴とする電池を備えたパソコンへの給電装置。
【発明の詳細な説明】
【技術分野】
【０００１】
本発明は、内蔵或いは外付け電池を備えたパソコンへの給電システム及び給電装置に関し、特に、電力消費ピーク時の節電時間に消費電力、すなわち、デマンド値(最大需要電力)を低減させる給電システム及び給電装置に関するものである。
【背景技術】
【０００２】
近時、夏場の午後に電力消費が増大し、供給電力よりも大きくなり停電等の危険性が懸念され、このような時間帯における事務所等での節電が求められている。
特に、事務処理の電子化により、多くの事務所では内蔵或いは外付け電池を備えたパソコンが使用されているが、この内蔵或いは外付け電池を節電時間に活用することが求められている。
内蔵或いは外付け電池を備えたパソコンにおいては、ＡＣ電源が遮断された場合に電池(バッテリ)の給電に切り替わる技術は特許文献１等で提示されている。
【先行技術文献】
【特許文献】
【０００３】
【特許文献１】特開２００１−２９８８７５号公報
【発明の開示】
【発明が解決しようとする課題】
【０００４】
ところで、内蔵或いは外付け電池を備えたパソコンにおいて、内蔵或いは外付け電池を節電時間内に活用するに際しては、個々の使用者によって手動でＡＣ電源を遮断して内蔵或いは外付け電池に切り替えることが考えられるが、切り替え忘れがあったり、逆にＡＣ電源に戻すことを忘れるといった不都合があり、電池の消耗が大きい場合は節電時間内に電池の充電残量が極めて少なくなり、パソコンの正常な作動が阻害されるといった問題点があった。
【０００５】
本発明は上述した問題点に鑑みなされたもので、多くの内蔵或いは外付け電池を備えたパソコンを中央制御機構で集中管理し、節電時間内の各パソコンの充電状態を監視して節電時間内に電池の充電残量が極めて少なくなることを防止し、常にパソコンを正常に作動させる電池を備えたパソコンへの給電システム、及び、給電装置を提供しようとするものである。
【課題を解決するための手段】
【０００６】
上記課題を解決するために、請求項１の発明は、内蔵或いは外付け電池を備えた複数のパソコンへのＡＣ電源の供給を制御するものであって、該ＡＣ電源の各コンセント毎に供給する電源を制御する制御回路を組み込んだ給電制御タップと、該制御回路を遠隔から制御する中央制御機構と、前記パソコンには内蔵或いは外付け電池の充電状態を監視する電源監視回路を設けるとともに、その充電状態を中央制御機構に送信する充電状態送信回路を配備し、節電時間内には、前記中央制御機構の指令により前記給電制御タップで各パソコン毎へのＡＣ電源を遮断して該パソコンを前記電池により稼働させ、各パソコン毎に電池の充電状態が所定の値までに低下した場合にＡＣ電源を供給して、所定の値まで充電した後にＡＣ電源を遮断して前記パソコンを前記電池で稼働し、この操作を節電時間内に繰り返すことを特徴とする電池を備えたパソコンへの給電システムである。
【０００７】
請求項２の発明は、内蔵或いは外付け電池を備えた複数のパソコンへのＡＣ電源の供給を制御するものであって、該ＡＣ電源の各コンセント毎に供給する電源を制御する制御回路を組み込んだ給電制御タップと、該制御回路を遠隔から制御する中央制御機構と、前記パソコンには内蔵或いは外付け電池の充電状態を監視する電源監視回路を設けるとともに、その充電状態を中央制御機構に送信する充電状態送信機構を配備し、節電時間内には、前記中央制御機構の指令により前記給電制御タップで各パソコン毎へのＡＣ電源を遮断して該パソコンを前記電池により稼働させ、各パソコン毎に電池の充電状態が所定の値までに低下した場合にＡＣ電源を供給して、所定の値まで充電した後にＡＣ電源を遮断して前記パソコンを前記電池で稼働し、この操作を節電時間内に繰り返すことを特徴とする電池を備えたパソコンへの給電装置である。
【発明の効果】
【０００８】
本発明の電池を備えた備えたパソコンへの給電システム及び給電装置によれば、節電時間内になった場合に、個々のパソコンの使用者が操作しなくても、中央制御機構から電池を備えたパソコンへＡＣ電源から電池に切り替えることができ、かつ、電池の残量が所定の値に低下した場合には中央制御機構から指令によりＡＣ電源に切り替えるのでパソコンが稼働中に電源遮断されてパソコンに不都合なトラブルが生じることもなく、この場合の電池の再充電も所定値まで達したら中央制御機構から指令により再びＡＣ電源から電池に切り替えるのでデマンド値(最大需要電力)を低減させることができる。
【図面の簡単な説明】
【０００９】
【図１】節電時間内での節電対象となる現状での電子、電気機器レベルを説明する説明図、
【図２】本発明の実施例の全体構成を説明する概念図、
【図３】図２の各装置のブロック図、
【図４】本発明の実施例の節電時間での電池の充電状態を説明するグラフの図、
【図５】図２、図３の給電制御タップのブロック図、
【図６】図４の作動工程のフローチャートの図である。
【発明を実施するための形態】
【００１０】
近時、電力事情の逼迫、特に夏期の午後には電力消費がピークとなり、商用のＡＣ電源は発電電力量を消費電力量が上回ると大停電等の深刻な事態を引き起こすことが憂慮され、所定期間に使用者側に節電要請がなされることがある。また、地球環境の観点からも常時節電は必要である。
【００１１】
図１で節電時間内での節電対象となる電子、電気機器レベルを説明すると、現状では、使用者側の多くのノートＰＣ(パソコン)を使用する事務所にとって、所定時間での節電は可能であり、図１に示すように、事務所等での節電対象器機と必要度の観点から電力会社から供給される商用ＡＣ電源を節電可能なレベルをレベル０〜５に分けて説明するが、この三角形状は、一般に底辺に近づくほど必要度が低いものと想定されるものである。
【００１２】
先ず、レベル０は防災機器や電話や常時外部回線接続するデスクトップＰＣが含まれＡＣ電源を遮断(ＯＦＦ)ことはできない。また、レベル１はＦＡＸ等に接続する複合機等は原則ＯＦＦで通常常時稼働させる必要があり、レベル２は使用頻度の高いプリンタや複合機は、状況を確認してＡＣ電源をＯＦＦにすることが可能であるが、このようにレベル０から２での機器類は原則ＡＣ電源を遮断することはできない。
次に、レベル３〜５について説明するが、レベル３はＡＣ電源を遮断すると業務の支障が高いノートＰＣや個別業務用のプリンタであり、レベル４は通常業務用のノートＰＣ等の電池(バッテリ)を備えたノートＰＣやデスクトップＰＣ等であり、レベル５は不要不急の電気器具で、例えば、ポット、補助個別照明、オーディオ器機等で、業務支障が低く、原則、節電時間ではＡＣ電源を切断しても良いものである。
本発明は、レベル３,４における内蔵或いは外付け電池を備えた複数のパソコンの節電を提案するものであり、以下に本発明の実施例を図に沿って具体的に説明する。
【００１３】
[実施例]
電池を備えたパソコンへの給電システム及び装置の実施例を、図２に沿って説明する。図２に示すように、事務所内には通常業務用の多数のノートＰＣ１(１)、(２)、(３)・・・(ｎ)が稼働しているが、これらのノートＰＣ１は電池(バッテリ)４が内蔵されており、この電池４が満杯に充電されていれば数時間稼働する。しかし、通常は複数のコンセントを集合した給電制御タップ２から商用の１００Ｖの交流(ＡＣ)の供給を受け、このＡＣアダプタ３を介してＤＣに変換してノートＰＣ１を稼働するとともに、内蔵電池４を充電している。
【００１４】
本実施例の各ノートＰＣ１は、無線又は有線ＬＡＮの回線５により中央管理制御機構(サーバ)６と接続されており、各ノートＰＣ１はそのノートＰＣ１でのＡＣ電源の電源供給状態や電池充電状態を検出する電源監視回路１２が構成され常に稼働しており、無線又は有線ＬＡＮの回線５を介して、電源供給状態／電池充電状態を中央管理制御機構６に送信する(点線)ようになっており、中央管理制御機構６では各ノートＰＣの電源供給状態／電池充電状態が把握されるように装置及びシステムが構築されている。
また、中央管理制御機構６では、節電時間になると把握した各ノートＰＣ１の電源供給状態／電池充電状態によって、給電制御タップ２の各コンセント２６毎に遮断と通電（ＯＮ／ＯＦＦ)との指令(一点鎖線)を出して制御し、各給電制御タップ２からのデータも受信する。
【００１５】
次に、各ノートＰＣ１、中央管理制御機構６、給電制御タップ２の構成を、図３に基づいて具体的に説明する。
[ノートＰＣ]
図３において、節電制御対象の各ノートＰＣ１にはアプリケーションにより対応機器に電源監視回路１２が導入されるが、この電源監視回路１２の電源状態の検出構成は、ＡＣアダプタ３の接続部品であるＡＣ電源部品３１と電池４を接続するバッテリ(電池)部品４１とからＡＣ電源状態と電池(バッテリ)状態の電源状態を検知回路１１により常時取得し、両取得した検出値を電源監視回路１２に入力する。他方、この電源監視回路１２はそれぞれのノートＰＣ１のＩＤ(識別用機器ＩＤ)とＡＣアダプタ３が接続したコンセント２６のＩＤとを識別用機器１３により取得し、これらのＩＤ情報と電源情報とを無線又は有線ＬＡＮの回線５により中央管理制御機構(サーバ)６に送信する。
【００１６】
[中央管理制御機構(サーバ)６]
次に、中央管理制御機構(サーバ)６の詳細を説明するが、複数のノートＰＣ１から電源監視回路１２から送信されてきた複数のノートＰＣ１の電源状態の情報データを電源状態収集処理回路６１で受信し、この受信した電源状態データを一旦電源状態記録装置６２に記録して蓄積する。次に、電源状態記録装置６２に記録された電源状態データから対象するノートＰＣ１の電源状態を抽出し、充電／放電の電池処理回路６３で所定の処理をする。
【００１７】
ここで、充電／放電の電池処理回路６３での充電／放電の電池処理を図４に沿って説明すると、節電時間には節電対象のノートＰＣ１のＡＣ電源をＯＮ／ＯＦＦ制御するが、節電時間に入ると節電対象のノートＰＣ１のＡＣ電源を遮断し、電池に切り替わってノートＰＣ１を稼働するが、本実施例では電池(バッテリ)４の残量が５０％未満になると、ＡＣ電源を通電するとともに電池４の充電を再開する。この充電量は節電時間内であれば７０％程度に留め、７０％以上に充電されるとノートＰＣ１のＡＣ電源を遮断し、再び電池４でノートＰＣ１を稼働し、これを節電時間内に繰り返す処理を行う。この際、充電時の電力は、図４の下側のグラフに示すように、全体でみればデマンド値(最大需要電力)を低減できる。すなわち、図４でコンセント２６のＯＦＦの本来使用されるであろう電力は他の時間帯(節電要請の時間外)へシフトされたことになり、その分だけデマンド値(最大需要電力)を低減する。
なお、ＡＣ電源を遮断する電池残量の下限値を所定％に設定するが、本実施例では電池４の残量の下限値を５０％としたが、ノートＰＣ１に支障が生じなければ良く、場合によっては更に低い２０％程度に下限を設定してもよい。また、所定の十分な充電状態としての電池残量を７０％以上としたが、更に低く設定してもよく、場合によっては６０％程度に設定しても良い。
【００１８】
図３に戻って、充電／放電の電池処理回路６３を説明するが、処理した節電対象のノートＰＣ１の電池の状態を定期的にチェックして、図４の処理を遂行するとともに、この処理をコンセント別電源制御回路６４に入力するとともに、機器ＩＤ＋コンセント紐付け情報取得回路６５によって、 この情報をコンセント別電源制御回路６４で合体して所定の節電コンセントの給電ＯＮ／ＯＦＦすべく、コンセント制御ドライバ６６から無線又は有線ＬＡＮの回線５を介して、節電対象となる給電制御タップ２に送信される。
【００１９】
[給電制御タップ２]
給電制御タップ２を図５に沿って説明すると、中央管理制御機構(サーバ)６(図３参照)の制御信号は通信ネットワークの回線５を介して給電制御タップ２に送信されるが、ネットワーク通信モジュール２１で受信し、受信した信号は制御回路(コントローラ)２２に入力され、制御回路２２では対応する給電制御タップ２のコンセント(a〜d)２６のＯＮ／ＯＦＦを制御する。  ＡＣ供給電源は、基礎電源コンセント２８に接続するＡＣ電源入力のプラグ２７を介して供給され、次にＡＣ電源供給器２３から各ノートＰＣ１のＡＣ電源用のコンセント口２６に分配されるが、その分配されたＡＣ電源の配線の途中にはそれぞれ回路開閉器２４が設けられ、遮断・通電ＯＮ／遮断ＯＦＦがなされ、給電制御タップ２の各回路開閉器２４と対応する各コンセント(a〜d)２６との途中には消費する電力量の測定器２５が配備され、この測定された各コンセント２６への電力量情報は制御回路２２にフィードバックされている。
そして、それぞれ回路開閉器２４は、結果的には中央管理制御機構(サーバ)６の制御信号によって、節電時間内は、例えば、図４の上段に示すような、ＯＮ／ＯＦＦ制御を行う。なお、給電制御タップ２の各コンセント２６は、それぞれ識別ＩＤが付与されるが制御回路２２から中央管理制御機構(サーバ)６のＰＣに送信され、各コンセント２６は特定され認識される。
【００２０】
本実施例の構成は、以上のようなものであるので、図４に示す作動手順を図６のフローチャートで説明する。
まず、節電時間に節電指示が中央管理制御機構(サーバ)６でなされると、ステップＳ１でシステムが開始され、ステップ２では作業が続行するか終了するかを判断し、制御終了指示があった場合にはステップ１０に進み終了する。
ステップ２で続行と判断されると、ステップ３に進み電池(バッテリ)４状態をチェックし、ステップ４でチェック結果が十分な充電状態にあれば、ステップ５に進み対象となるノートＰＣ１へのコンセント２６からの給電を遮断する。ここで本実施例で十分な充電状態とは７０％の充電率に設定した。
【００２１】
一方、ステップ４ではチェック結果で充電が十分でなければ、ステップ９に進み対象となるノートＰＣ１へのコンセント２６からの給電を行う。なお、電池(バッテリ)４の状態をチェックは、サンプリング時間は６０秒間隔とした。
前記ステップ５で電池に十分な充電があると判断されれば、回路開閉器２４がＡＣ電源を遮断し給電制御タップ２の対象のコンセント２６での給電を停止し、ステップ６に進み節電での制御終了指示があったか否かを判断する。
ステップ６の作業の終了判断で、節電時間内は続行であるのでステップ７の電池(バッテリ)状態をチェックに進み、制御終了指示があった場合にはステップ１０に進み終了するが、制御終了指示がなく続行する場合はステップ８に進み、充電状態の残量が下限である５０％以上になったことを検出すれば、ステップ６に戻り作業の終了判断をする。逆に、電池残量が下限の５０％よりも少なくなった場合には、ステップ９に進んで給電制御タップ２の節電対象の給電制御タップ２のノートＰＣ１のコンセント２６に給電を開始するとともに、ノートＰＣ１等に備えられた電池４への充電を開始しステップ２に戻る。
以上のような工程を繰り返し行うことで、図４で説明した作業を行う。
【００２２】
以上のように、本発明の実施例の電池を備えたパソコンへの給電システム及び給電装置によれば、節電時間内になった場合に、個々のパソコンの使用者が操作しなくても、中央制御機構から電池を備えたパソコンへＡＣ電源から電池に切り替えることができ、かつ、電池の残量が所定の値に低下した場合には中央制御機構からの指令によりＡＣ電源に切り替えるのでパソコンが稼働中に電源遮断されてパソコンに不都合なトラブルが生じることもなく、この場合の電池の再充電も所定値まで達したら中央制御機構から指令により再びＡＣ電源から電池に切り替えるのでデマンド値(最大需要電力)を低減させることができる。
なお、本発明の特徴を損なうものでなければ、上記の実施例に限定されるものでないことは勿論であり、例えば、電池内蔵のノートＰＣで説明したが、外付け電池を備えた複数のデスクトップＰＣでも採用しても良いことも勿論である。
【符号の説明】
【００２３】
１・・ノートＰＣ、１１・・検知回路、１２・・電源監視回路、
１３・・識別用機器、
２・・給電制御タップ、２１・・ネットワーク通信モジュール、
２２・・制御回路、２３・・ＡＣ電源供給器、２４・・回路開閉器、
２５・・電力量の測定器、２６・・コンセント、
２７・・プラグ、２８・・基礎電源コンセント、
３・・ＡＣアダプタ、３１・・ＡＣ電源部品、
４・・電池(バッテリ)、４１・・バッテリ(電池)部品、
５・・無線又は有線ＬＡＮの回線、
６・・中央管理制御機構(サーバ)、６１・・電源状態収集処理回路、
６２・・電源状態記録装置、６３・・充電／放電の電池処理回路、
６４・・コンセント別電源制御回路、
６５・・機器ＩＤ＋コンセント紐付け情報取得回路、
６６・・コンセント制御ドライバ
【図１】
2014039416.tif 000003
【図２】
2014039416.tif 000004
【図３】
2014039416.tif 000005
【図４】
2014039416.tif 000006
【図５】
2014039416.tif 000007
【図６】
2014039416.tif 000008